(57)【要約】  複数の基地局による連携上りリンク処理は、サービング基地局により、移動局の上りリンクデータを受信するために第２の基地局の上りリンクリソースの要求を送信することを含む。サービング基地局は、移動局から第１の上りリンクデータを受信し、サービング基地局は、要求により指定された上りリンクリソースを使用して第２の基地局により受信された移動局の第２の上りリンクデータを（第２の基地局から）更に受信する。
2013509013.tif 000002
【特許請求の範囲】
【請求項１】
複数の基地局により連携上りリンク処理を実行する方法であって、
サービング基地局により、移動局の上りリンクデータを受信するために第２の基地局の上りリンクリソースの要求を送信するステップと、
前記サービング基地局により、前記移動局から第１の上りリンクデータを受信するステップと、
前記サービング基地局により、前記要求により指定された前記上りリンクリソースを使用して前記第２の基地局により受信された前記移動局の第２の上りリンクデータを受信するステップと
を有する方法。
【請求項２】
前記移動局から前記サービング基地局により受信された前記第１の上りリンクデータを、前記第２の基地局から受信された前記第２の上りリンクデータと結合し、前記移動局により送信された実際の上りリンクデータを導くステップを更に有する、請求項１に記載の方法。
【請求項３】
前記要求を送信するステップは、前記サービング基地局のアドバンススケジューラにより実行され、
前記要求は、前記サービング基地局の戦術的スケジューラにより実行される実際のスケジューリングの前に、前記アドバンススケジューラにより実行されるアドバンススケジューリングに基づく、請求項１に記載の方法。
【請求項４】
前記要求を送信するステップは、前記要求を前記第２の基地局の戦術的スケジューラに送信し、前記第２の基地局が前記移動局からの上りリンク通信のリソースをスケジューリングすることを可能にするステップを有し、
前記第２の基地局による前記リソースのスケジューリングは、前記要求により指定された前記上りリンクリソースを考慮する、請求項３に記載の方法。
【請求項５】
前記サービング基地局により、上りリンク許可を前記移動局に送信し、前記移動局が前記第１の上りリンクデータを送信するための上りリンクリソースを割り当てるステップと、
前記サービング基地局により、前記上りリンク許可により割り当てられた前記上りリンクリソースで前記第１の上りリンクデータを受信するステップと
を更に有する、請求項３に記載の方法。
【請求項６】
前記サービング基地局により、前記第１の上りリンクデータの受信に応じて一時停止指示を送信するステップと、
前記一時停止指示を送信した後に、実際の上りリンクデータが前記第１及び第２の上りリンクデータを結合することから回復できない場合、前記サービング基地局により、前記第１の上りリンクデータの再送信の要求を前記移動局に送信するステップと
を更に有する、請求項５に記載の方法。
【請求項７】
前記サービング基地局により、前記第１の上りリンクデータの受信に応じて一時停止指示を送信するステップと、
前記一時停止指示を送信した後に、前記サービング基地局が前記移動局の実際の上りリンクデータをうまく復号化できたことに応じて、前記サービング基地局により、上りリンク許可を前記移動局に送信し、前記移動局が次の上りリンクデータを送信可能にするステップと
を更に有する、請求項５に記載の方法。
【請求項８】
前記サービング基地局が前記上りリンクデータをうまく復号化できるように、前記第２の基地局が前記サービング基地局と協調動作して連携上りリンクデータを処理することができるか否かを、前記サービング基地局が判定できるまで、前記サービング基地局により、前記サービング基地局から前記移動局へのハイブリッドARQ（automatic  repeat  request）フィードバックの提供を遅らせるステップを更に有する、請求項１に記載の方法。
【請求項９】
前記サービング基地局により、前記第２の基地局から失敗指示を受信するステップを更に有し、
前記失敗指示は、前記第２の基地局が前記第２の基地局により受信された前記移動局からの前記上りリンクデータをうまく復号化できなかったことを示す、請求項１に記載の方法。
【請求項１０】
前記サービング基地局により前記第２の基地局から前記第２の上りリンクデータを受信したことは、前記第２の基地局が前記第２の基地局により受信された前記移動局からの前記上りリンクデータをうまく復号化できたことの指示である、請求項１に記載の方法。
【請求項１１】
前記サービング基地局により、１つ以上の所定のルールにアクセスし、前記第２の基地局が前記移動局について前記サービング基地局との上りリンクデータの連係処理を実行するために利用可能であるか否かを判定するステップを更に有する、請求項１に記載の方法。
【請求項１２】
前記１つ以上の所定のルールは、信号及び雑音の相対的強度のインジケータの相対値に基づき、
前記インジケータのうち第１のものは、前記サービング基地局と前記移動局との間の無線通信に関連し、
前記インジケータのうち第２のものは、連携処理基地局と前記移動局との間の無線通信に関連する、請求項１１に記載の方法。
【請求項１３】
前記インジケータは、信号対干渉及び雑音比を有する、請求項１２に記載の方法。
【請求項１４】
前記サービング基地局により、前記移動局の上りリンクデータを受信するために第３の基地局の上りリンクリソースの第２の要求を送信するステップと、
前記サービング基地局により、前記第３の基地局から、前記第２の要求により指定された前記上りリンクリソースを使用して前記第３の基地局により受信された前記移動局の第３の上りリンクデータを受信するステップと
を更に有する、請求項１に記載の方法。
【請求項１５】
実行されたときに、サービング基地局に対して請求項１ないし１４のうちいずれか１項に記載の方法を実行させる命令を格納した少なくとも１つの機械可読記憶媒体を有する物。
【請求項１６】
第２の基地局へのインタフェースと、
少なくとも１つのプロセッサと
を有し、
前記少なくとも１つのプロセッサは、
移動局の上りリンクデータを受信するために第２の基地局の上りリンクリソースの要求を送信し、
前記移動局から第１の上りリンクデータを受信し、
前記要求により指定された前記上りリンクリソースを使用して前記第２の基地局により受信された前記移動局の第２の上りリンクデータを受信するように構成されるサービング基地局。
【請求項１７】
前記少なくとも１つのプロセッサは、
前記移動局から前記サービング基地局により受信された前記第１の上りリンクデータを、前記第２の基地局から受信された前記第２の上りリンクデータと結合し、前記移動局により送信された実際の上りリンクデータを導くように更に構成される、請求項１６に記載のサービング基地局。
【請求項１８】
前記少なくとも１つのプロセッサは、
上りリンク許可を前記移動局に送信し、前記移動局が前記第１の上りリンクデータを送信するための上りリンクリソースを割り当て、
前記上りリンク許可により割り当てられた前記上りリンクリソースで前記第１の上りリンクデータを受信するように更に構成される、請求項１６に記載のサービング基地局。
【請求項１９】
前記少なくとも１つのプロセッサは、
前記第１の上りリンクデータの受信に応じて一時停止指示を送信し、
前記一時停止指示を送信した後に、実際の上りリンクデータが前記第１及び第２の上りリンクデータを結合することから回復できない場合、前記第１の上りリンクデータの再送信の要求を前記移動局に送信するように更に構成される、請求項１８に記載のサービング基地局。
【請求項２０】
前記少なくとも１つのプロセッサは、
前記第１の上りリンクデータの受信に応じて一時停止指示を送信し、
前記一時停止指示を送信した後に、前記サービング基地局が前記移動局の実際の上りリンクデータをうまく復号化できたことに応じて、上りリンク許可を前記移動局に送信し、前記移動局が次の上りリンクデータを送信可能にするように更に構成される、請求項１８に記載のサービング基地局。
【請求項２１】
前記少なくとも１つのプロセッサは、
前記第２の基地局から失敗指示を受信するように更に構成され、
前記失敗指示は、前記第２の基地局が前記第２の基地局により受信された前記移動局からの前記上りリンクデータをうまく復号化できなかったことを示す、請求項１６に記載のサービング基地局。
【請求項２２】
前記サービング基地局により前記第２の基地局から前記第２の上りリンクデータを受信したことは、前記第２の基地局が前記第２の基地局により受信された前記移動局からの前記上りリンクデータをうまく復号化できたことの指示である、請求項１６に記載のサービング基地局。
【請求項２３】
前記少なくとも１つのプロセッサは、
前記サービング基地局が前記上りリンクデータをうまく復号化できるように、前記第２の基地局が前記サービング基地局と協調動作して連携上りリンクデータを処理することができるか否かを、前記サービング基地局が判定できるまで、前記サービング基地局から前記移動局へのハイブリッドARQ（automatic  repeat  request）フィードバックの提供を遅らせるように更に構成される、請求項１６に記載のサービング基地局。
【発明の詳細な説明】
【背景技術】
【０００１】
移動局が他の移動局又は有線ネットワークに結合された有線端末との通信を実行可能にするために、様々な無線アクセス技術が提案又は実施されている。無線アクセス技術の例は、3GPP（Third  Generation  Partnership  Project）により規定されたGSM（Global  System  for  Mobile  communications）及びUMTS（Universal  Mobile  Telecommunications  System）技術と、3GPP2により規定されたCDMA2000（Code  Division  Multiple  Access  2000）技術とを含む。CDMA2000は、HRPD（High  Rate  Packet  Data）無線アクセスネットワークと呼ばれる一種のパケット交換無線アクセスネットワークを規定している。
【０００２】
パケット交換無線アクセスネットワークを提供する他の最近の標準は、3GPPからのLTE（Long  Term  Evolution）である。LTEは、UMTS技術を拡張することを試みる。LTE標準はまた、EUTRA（Evolved  Universal  Terrestrial  Radio  Access）標準とも呼ばれる。EUTRA技術は、第４世代（4G）技術になると考えられ、無線ネットワークオペレータは、拡張サービスを提供するために第４世代技術に移行している。他の代替の4G無線技術は、IEEE802.16により規定されたWiMAX（Worldwide  Interoperability  for  Microwave  Access）である。他の無線技術も存在する。
【発明の概要】
【発明が解決しようとする課題】
【０００３】
概して、或る実施例によれば、複数の基地局による連携（joint）上りリンク処理を実行する方法及びシステムは、サービング基地局により、移動局の上りリンクデータを受信するために第２の基地局の上りリンクリソースの要求を送信することを含む。サービング基地局は、移動局から第１の上りリンクデータを受信し、サービング基地局は、要求により指定された上りリンクリソースを使用して第２の基地局により受信された移動局の第２の上りリンクデータを（第２の基地局から）更に受信する。
【０００４】
他の特徴及び別の特徴は、以下の詳細な説明、図面及び特許請求の範囲から明らかになる。
【図面の簡単な説明】
【０００５】
【図１】或る実施例が組み込まれ得る複数の基地局を含む構成の例のブロック図
【図２】或る実施例に従って基地局に実装される例示的なロジックのブロック図
【図３】或る実施例によるサービング基地局及び連携処理基地局の動作を示すタイミング図
【図４】或る実施例によるサービング基地局及び連携処理基地局の動作を示すタイミング図
【発明を実施するための形態】
【０００６】
いくつかの実施例について、図面を参照して説明する。
【０００７】
セルの基地局と移動局との間の無線シグナリングの強度が比較的弱いセルの領域に移動局が存在する場合、無線通信は信頼できない。弱いシグナリングはデータの欠落を生じる可能性がある。或いは、無線通信の信頼性を向上させるために、使用されるデータレートが減少しなければならない。しかし、データレートを低減することは、移動局と基地局との間の遅い通信を犠牲にする。
【０００８】
或る実施例では、移動局との無線通信を向上させるために、移動局からの上りリンクデータの基地局間での連携処理（joint  processing）が実行されてもよい。サービング基地局（サービング基地局は、移動局が無線ネットワークで通信することを可能にするために特定の移動局に現在サービス提供している基地局である）による上りリンク送信のスケジューリングに応じて、移動局は、上りリンクデータをサービング基地局に送信する。１つ以上の周辺基地局は、移動局からの上りリンクデータを受信することを支援し、このような受信した上りリンクデータの結果をサービング基地局と共有してもよい。移動局からの上りリンクデータを受信することを支援するこれらの１つ以上の周辺基地局は、連携処理基地局と呼ばれる。受信した上りリンクデータを連携処理基地局からサービング基地局に転送することにより、サービング基地局が移動局により送信された実際の上りリンクデータを回復できる可能性が向上する。サービング基地局では、移動局からサービング基地局により直接受信された上りリンクデータは、連携処理基地局から転送された移動局の上りリンクデータと結合（合成）される。サービング基地局及び連携処理基地局により受信された上りリンクデータに基づく結合された上りリンクデータは、移動局により送信された実際の上りリンクデータを導くために使用される。
【０００９】
上りリンクデータの基地局間連携処理を実行する問題は、協調動作する基地局間で通信の待ち時間が存在する点である。このような待ち時間は、移動局からの上りリンクデータの効果的な連携処理を妨げる可能性がある。
【００１０】
或る実施例によれば、基地局間の通信の遅延が存在する場合であっても上りリンクデータの連係処理を可能にするために、戦略的な連携処理要求を計画して通信する（基地局に提供される）アドバンススケジューラ（advance  scheduler）が使用されてもよい。アドバンススケジューラは、基地局の“通常”のスケジューラにより実行されるタスクとは異なるタスクを実行する。これは、“戦術的（tactical）”スケジューラとも呼ばれる（通常のスケジューラ又は戦術的スケジューラは、移動局の代わりに典型的なスケジューリングタスクを実行する）。
【００１１】
サービング基地局のアドバンススケジューラは、連携処理要求を連携処理基地局に提示することができる（連携処理基地局は、移動局から上りリンクデータを受信するためにサービング基地局と協調動作する）。連携処理要求は、サービング基地局が使用するつもりである連携処理基地局の上りリンクリソースを連携処理基地局に通知してもよい。連携処理要求は、連携処理基地局の戦術的スケジューラに送信される。連携処理基地局の戦術的スケジューラは、所定のルールに基づいて支援をスケジューリングするか否かを選択してもよい。例えば、連携処理基地局は、連携処理基地局のSINR（signal-to-interference-plus-noise  ratio）（特定の移動局との無線通信のSINR）と、サービング基地局のSINRとの比較に基づいて、移動局からの上りリンクデータを受信する際の支援をスケジューリングしないことを選択してもよい。例えば、連携処理基地局のSINRがサービング基地局のSINRより或る所定の閾値だけ悪い場合、連携処理基地局は、支援を提供しない。このルールは、サービング基地局に事前に知られていてもよい。換言すると、サービング基地局は、連携処理基地局のSINRがサービング基地局のSINRより所定の閾値だけ悪いことを判定した場合、サービング基地局は、連携処理基地局から上りリンクデータを受信する際の支援を想定しないことを認識する。上りリンクデータの連携処理を実行する際に所定のルールを使用することにより、協調動作する基地局は、協調動作する基地局が、かなりのノード間の通信の遅延に関連し得る、協調動作する基地局が移動局の上りリンクデータを連係して処理できるか否かの判定を行うために、協調動作する基地局が実際にシグナリングを交換することを必要とせずに、相互の動作を予測することができる。
【００１２】
所定の閾値に対してSINRを使用する代わりに、雑音及びシグナリングの相対的強度の他のインジケータが使用されてもよい。
【００１３】
更に、判定ルールはまた、リソースの要求が衝突する場合に指定されてもよい。例えば、サービング基地局が連携処理基地局で既に行われた他の要求と衝突を生じる連携処理基地局の上りリンクリソースを要求した場合、判定ルールは、このような衝突がどのように解決されるかを指定してもよい。
【００１４】
サービング基地局と１つの連携処理基地局との間の協調動作について言及されるが、サービング基地局は、移動局の上りリンクデータを受信するために、複数の連携処理基地局と協調動作してもよい。基地局は、如何なる無線システム（例えば、相互接続された無線LAN）を示してもよい点に留意すべきである。
【００１５】
或る実施例に従って上りリンクデータ連携処理を使用することにより、弱いシグナリングの領域での移動局との無線通信が向上する。このような弱いシグナリングの領域の例は、セルの端、又は無線シグナリングに対するかなりの障害物が存在する領域を含んでもよい。更に、或る実施例による技術を使用することにより、更なる数のカバレッジエリアの領域が高いデーレートをサポートし得るように、（上りリンクデータについて）向上したデータレートが実現され得る。また、或る実施例による技術を使用して、平均セル容量が増加し得る。
【００１６】
図１は、サービング基地局102と１つ又は複数の連携処理基地局104とを有する例示的なシステムの概略図である。以下の説明では、（移動局106にサービス提供する）サービング基地局102と１つの連携処理基地局104との間の協調動作について言及される。説明する技術は、サービング基地局102が複数の連携処理基地局104と協調動作する状況にも適用可能である点に留意すべきである。
【００１７】
基地局102及び104は、対応する基地局のそれぞれのカバレッジ領域で様々な移動局と無線シグナリングを通信するために使用される。これらのカバレッジ領域は、セルとも呼ばれる。“セル”は、全体のセル、セルセクタ又はセルのいずれかのセグメントを示してもよい。
【００１８】
サービング基地局102は、物理レイヤ108と媒体アクセス制御（MAC：medium  access  control）レイヤ110とを含む。物理レイヤ108は、物理伝送媒体への最低レベルのインタフェースを提供する。この例では、物理伝送媒体は、サービング基地局102と移動局106との間の無線リンクである。MACレイヤ110は、物理レイヤ108と高プロトコルレイヤ（図１に示す高プロトコルレイヤ112の一部）との間のインタフェースを提供する。
【００１９】
更に図１に示すように、物理レイヤ108及び／又はMACレイヤ110は、各コンバイナ114又は116をそれぞれ含んでもよい（或る例では、コンバイナ114及び116の一方のみが提供されてもよく、他の例では、コンバイナ114及び116の双方が存在してもよい）。コンバイナ114又は116は、受信側基地局102及び連携処理基地局104により受信された移動局106の上りリンクデータを結合するために使用される。実際には、コンバイナ114又は116は、サービング基地局102により移動局106から直接受信された上りリンクデータと、連携処理基地局104により受信されて（サービング基地局102のインタフェース117と連携処理基地局104の同様のインタフェースとを使用すること等により）サービング基地局102と連携処理基地局104との間のリンク118でサービング基地局102に転送された移動局106の上りリンクデータとを結合する。結合された上りリンクデータは、移動局106により送信された実際の上りリンクデータを導くために使用されてもよい。
【００２０】
連携処理基地局104は、サービング基地局102に示すものと同じ構成要素をそれぞれ含んでもよい点に留意すべきである。基地局102は移動局106のサービング基地局であるが、１つの基地局104は他の移動局のサービング基地局になってもよく、基地局102はそのような他の移動局の連携処理基地局になってもよい点に留意すべきである。
【００２１】
或る実施例によれば、サービング基地局102は、アドバンススケジューラ120と、戦術的スケジューラ122とを含む。戦術的スケジューラ122は、移動局106との通信のためのリソースを実際にスケジューリングするスケジューラであり、スケジューリングされたリソースは上りリンクリソースと下りリンクリソースとを含む。
【００２２】
アドバンススケジューラ120は、移動局106からの上りリンクデータの効率的な連携処理を可能にするために提供される。アドバンススケジューラ120は、連携処理要求を連携処理基地局104に発行し、サービング基地局102が連携上りリンク処理の目的で移動局106から上りリンクデータを受信するために使用したいと思う連携処理基地局104の上りリンクリソースを要求することができる。
【００２３】
物理レイヤ108又はMACレイヤ110で（移動局106の）上りリンクデータの結合を実行することにより、サービング基地局の上位レイヤに更なる効率性が提供され得る。この理由は、上位レイヤは、上りリンクデータの実際の結合を実行することに関与する必要がないからである。また、移動局106は、連携上りリンク処理を可能にするように再構成される必要がない。このことは、実装コストを低減する。
【００２４】
サービング基地局102はまた、記憶媒体126（例えば、スタティック又はランダムアクセスメモリのような揮発性メモリデバイス及び／又はディスク型記憶デバイス又はフラッシュメモリのような永続的記憶デバイス）に接続されたプロセッサ（又は複数のプロセッサ）124を含む。アドバンススケジューラ120及び戦術的スケジューラ122は、プロセッサ124で実行可能な機械可読命令で実装されてもよい。
【００２５】
或る実施例によれば、基地局102及び104は、3GPP（Third  Generation  Partnership  Project）により規定されたLTE（Long  Term  Evolution）標準に従ってもよい。LTE標準はまた、EUTRA（Evolved  Universal  Terrestrial  Radio  Access）標準とも呼ばれる。
【００２６】
EUTRA標準について言及されているが、代替実施例は他の無線プロトコルを使用してもよい点に留意すべきである。従って、ここで説明する技術はまた、IEEE802.16により既定されたWiMAX（Worldwide  Interoperability  for  Microwave  Access）、3GPP2により既定されたCDMA（Code  Division  Multiple  Access）、3GPP2により既定されたHRPD（High  Rate  Packet  Data）、3GPPにより既定されたUMTS（Universal  Mobile  Telecommunication  System）、3GPPにより既定されたEDGE（Enhanced  Data  Rates  for  GSM  Evolution）、3GPPにより既定されたGSM（Global  System  for  Mobile）、IEEE802.11により既定されたWLAN（Wireless  Local  Area  Network）等のうちいずれか１つ以上を含む、他の無線プロトコルに従った基地局による連携上りリンク処理に適用されてもよい。
【００２７】
以下の説明では、EUTRA標準について言及される。他の実装では、他の標準が使用されてもよい点に留意すべきである。
【００２８】
EUTRA標準によれば、基地局102又は104は、ENode  B（enhanced  node  B）として実装される。基地局は、無線リソース管理、移動局のモビリティ管理、トラヒックのルーティング等のタスクのうち１つ以上を実行してもよい。一般的に、“基地局”という用語は、いずれかの種類の無線ネットワークで使用されるセルラネットワーク基地局若しくはアクセスポイント、又は移動局と通信するいずれかの種類の無線送信機／受信機を示してもよい。“基地局”という用語はまた、基地局コントローラ又は無線ネットワークコントローラのような関連するコントローラを含んでもよい。“基地局”という用語は、フェムト基地局若しくはアクセスポイント、マクロ基地局若しくはアクセスポイント、又はピコ基地局若しくはアクセスポイントを示すことも考えられる。“移動局”は、電話ハンドセット、携帯可能コンピュータ、PDA（personal  digital  assistant）、又はヘルスモニタ、アラーム（attack  alarm）等のような埋め込み式デバイスを示してもよい。
【００２９】
更に図１に示すように、基地局102及び104は、サービングゲートウェイ130に接続されてもよい。サービングゲートウェイ130は、ベアラデータパケットをルーティングするために使用される。サービングゲートウェイ130はまた、異なる基地局間のハンドオーバ中にユーザプレーンのモビリティアンカー（mobility  anchor）として動作する。サービングゲートウェイ130はまた、移動局108とパケットデータネットワーク134（例えば、インターネット、様々なサービスを提供するネットワーク等）との間の接続を提供するパケットデータネットワーク（PDN：packet  data  network）ゲートウェイ132に接続される。
【００３０】
EUTRA標準への言及は、現在のEUTRA標準と、EUTRA標準から時間と共に進展するいずれかの標準とを示すことを意図する。EUTRA標準から発展した将来の標準は、異なる名前で呼ばれる可能性があることが想定される。“EUTRA”への言及は、このような後に発展した標準も同様にカバーすることが考えられる。
【００３１】
図２は、例えば図１の基地局102及び104に対応してもよい基地局i及び基地局jの様々な構成要素を示している。基地局i及び基地局jの一方はサービング基地局でもよく、他方の基地局は連携処理基地局でもよい。入力情報200及び202は、（それぞれ基地局i及び基地局jに含まれる）アドバンススケジューラi及びアドバンススケジューラjのそれぞれに提供される。入力情報200又は202は、サウンディングリファレンス信号（SRS：sounding  reference  signal）（基地局が上りリンクチャネル品質及び他の情報を推定するためにSRSを使用できるように移動局により送信される）、レポート（アドバンススケジューラi又はjに関心のある様々なデータを含む）、バッファ占有度（移動局に関連するバッファの占有度を示す）、及びQoS情報（特定の送信に提供されるサービス品質を示すサービス品質情報）を含む。同様の情報（204及び206）もまた、戦術的スケジューラi及び戦術的スケジューラjにそれぞれ提供されてもよい点に留意すべきである。
【００３２】
更に図２に示すように、基地局jのアドバンススケジューラjは、連携処理要求（208）を基地局iの戦術的スケジューラiに送信してもよい。これは、基地局jがサービング基地局であり、基地局iが連携処理基地局である場合に実行される。連携処理要求は、サービング基地局の戦術的スケジューラにより実行される実際のスケジューリングの前にアドバンススケジューラにより実行されるアドバンススケジューリングに基づく。
【００３３】
同様に、基地局iがサービング基地局であり、基地局jが連携処理基地局である場合に、基地局iのアドバンススケジューラiは、連携処理要求（210）を基地局jの戦術的スケジューラjに送信してもよい。
【００３４】
連携処理要求は、連携処理基地局により特定の移動局から上りリンクデータを受信するために使用する（サービング基地局の代わりに）連携処理基地局の上りリンクリソースの割り当てを指定してもよい。連携処理要求に含まれる他の内容は、例えば、移動局の識別情報、無線ネットワーク一時識別子（RNTI：radio  network  temporary  identifier）、変調及び符号化方式（MCS：modulation  and  coding  scheme）（向上した信号品質のために使用される変調及び符号化を指定する）及び／又は他の情報を含んでもよい。
【００３５】
サービング基地局はまた、特定の上りリンクリソースのシグナリングを測定するために、連携測定要求（図２に図示せず）を連携処理基地局に送信してもよい。このことは、サービング基地局（及び連携処理基地局）が相対的SINRを認識することを可能にし、これにより、連携処理基地局が移動局からの上りリンクデータを受信するための支援をスケジューリングするべきか否かの判定をSINRに基づいて行ってもよい。
【００３６】
更に図２に示すように、基地局jが連携処理基地局である場合、基地局jのユーザプレーンMACレイヤ110及び物理レイヤ108は、上りリンクデータ結合（215）を実行するために、連携処理上りリンクデータ（214）をサービング基地局iに送信してもよい。或いは、基地局iが連携処理基地局である場合、基地局iのユーザプレーンMACレイヤ110及び物理レイヤ108は、上りリンクデータ結合（217）を実行するために、連携処理上りリンクデータ（216）をサービング基地局jに送信してもよい。
【００３７】
図３は、或る例による連携上りリンク処理に関するタイミング図である。図３のタイミング図は、時間ブロックのシーケンスを示しており、各ブロックは、４つのTTI（transmission  time  interval）を有し、各TTIは、所定の長さのタイムスロットを表す。
【００３８】
図３のタイミング図では、“ADV”は、サービング基地局のアドバンススケジューラ（図１の120）により実行されるタスクを表す。“PREP”は、移動局から基地局への上りリンクデータの通信を可能にするために基地局又は移動局により実行されるタスクを表す。“DEC”は、復号化タスクを表す。
【００３９】
或る実装では、ハイブリッドARQ（automatic  repeat  request）が使用されることを仮定する。この場合、誤り検出情報ビット及び前方誤り訂正ビットが誤りによって送信されるデータに追加される。誤り検出ビット及び前方誤り訂正ビットを含むHARQ情報は、受信機により受信されたデータが誤りを含むか否かを受信機が判定することを可能にする。前方誤り訂正ビットは、特定のデータ誤りの訂正を可能にする。データ誤りが訂正可能ではない場合、HARQは、送信機からのデータの再送信を要求する機構を提供する。
【００４０】
他の実装では、移動局と基地局との間の無線通信に他の誤り検出及び訂正機構が使用されてもよい。
【００４１】
図３に示すように、連携上りリンク処理が実行される場合、サービング基地局のアドバンススケジューラ120は、（ADVタスクを実行した後に）、連携処理要求（300）を連携処理基地局の戦術的スケジューラ122に送信する。連携処理基地局は、“JP  PREP”として表されるタスクを実行する。前述のように、連携処理要求（300）は、連携上りリンク処理を実行するために、移動局から上りリンクデータを受信するための連携処理基地局の要求され得る連携処理基地局のリソースブロックを指定してもよい。この段階で、連携処理要求は、サービング基地局が連携処理基地局のこれらのリソースブロックで上りリンクデータ送信をスケジューリングするつもりであることを単に示してもよい点に留意すべきである。これは、様々な状況に基づいて生じなくてもよい。
【００４２】
後の時点で、サービング基地局の戦術的スケジューラは、PREPタスク304を実行し、上りリンク許可メッセージ（306）を移動局に送信する。許可詳細もまた、連携処理基地局の戦術的スケジューラに送信される（308）。これは、サービング基地局が連携処理要求（300）により指定されたリソースブロックを実際にスケジューリングしたことを連携処理基地局に示す。
【００４３】
図３の例では、上りリンク許可（306）は、ゼロに設定されたRV（redundancy  version）で送信される。RVは、どの再送信バージョンを使用するかを指定するために使用されるHARQパラメータである。RVは、前に送信されたブロックが移動局により再送信されるか、或いは移動局が次の上りリンクデータの送信を実行できるかを示すために使用される。例えば、ゼロに等しいRVは、移動局が次の上りリンクデータを送信できることを示す
上りリンク許可（306）に応じて、移動局は、様々なタスク308を実行し、物理上りリンク共有チャネル（PUSCH：physical  uplink  shared  channel）で上りリンクデータをサービング基地局及び連携処理基地局に送信する（310）。連携上りリンク処理のために（310において）移動局により送信された上りリンクデータがサービング基地局及び連携処理基地局の双方により受信され得るように、上りリンク許可（306）は、移動局がサービング基地局と連携処理基地局との双方の無線リソースを使用することを指定する点に留意すべきである。
【００４４】
PUSCHで上りリンクデータを受信すると、サービング基地局及び連携処理基地局の双方は、受信した上りリンクデータに基づいてそれぞれのタスク（JP  DEC、ADV、DEC、PREP）を実行する。図３の例では、連携処理基地局がPUSCHで受信された上りリンクデータをうまく復号化できないことを仮定する。その結果、連携処理基地局は、失敗指示（312）をサービング基地局に送信する。HARQフィードバックがサービング基地局により移動局に提供された時点で上りリンクデータの受信が成功したか否かは不明確である可能性がある点に留意すべきである。その結果、或る実施例によれば、上りリンク許可のない肯定応答（ACK：acknowledgement）（314）が提供される。その代わりに、一時停止指示を備えたACKが提供され、移動局に送信される。一時停止指示（314）を備えたACKに応じて、移動局は上りリンクデータ送信を実行しない。実際に、一時停止指示を備えたACKは、連携処理基地局がサービング基地局と協調動作してサービング基地局が上りリンクデータをうまく復号化できるように連携上りリンクデータを処理できるか否かをサービング基地局が判定できるまで、サービング基地局から移動局へのHARQフィードバックの提供を有効に遅らせる。
【００４５】
図３の例では、連携処理基地局からの失敗指示（312）を考慮し、また、サービング基地局が310で受信した上りリンクデータをうまく復号化できないという事実を考慮して、サービング基地局が310で送信された同じ上りリンクデータの再送信を要求することを仮定する。サービング基地局は、再送信要求に関する許可詳細を連携処理基地局に送信し（316）、更に、サービング基地局は、RVを2に等しく設定して上りリンク許可を移動局に送信する。これは、移動局により前に送信された同じ上りリンクデータの再送信の要求である。
【００４６】
図４は、連携処理基地局が310で送信された上りリンクデータをうまく復号化できた点を除き、図３のタイミング図と同様のタイミング図である。図３のタスクと同じタスクは、図４において同じ参照符号を割り当てられている。図４に示すように、310で受信されたPUSCHでの上りリンクデータに応じて連携処理基地局により実行される復号化（402）は、成功した復号化を生じる。これは、連携処理基地局に対して、上りリンクデータをサービング基地局に送信させる（404）。サービング基地局では、連携処理基地局により転送されたこのような上りリンクデータ（404）は、サービング基地局により移動局から直接（310）受信された上りリンクデータと結合される。これは、サービング基地局において、310で送信された上りリンクデータがうまく受信されたという判定を生じる。その結果、サービング基地局は、移動局からの次の上りリンクデータの送信をスケジューリングすることができ、サービング基地局は、移動局からのこのような次の上りリンクデータのスケジューリングに関する許可詳細（406）を連携処理基地局に送信する。サービング基地局はまた、RVをゼロに設定した上りリンク許可を送信し、移動局が次の上りリンクデータを送信することを移動局に示す。
【００４７】
図４では、データが連携処理基地局によりうまく復号化され、最終的にサービング基地局が310で受信された上りリンクデータをうまく復号化できた場合であっても、HARQフィードバックが必要な時点で、サービング基地局は、移動局からの次の上りリンクデータの上りリンク許可をまだ送信できていない点に留意すべきである。その結果、図４の例であっても、サービング基地局は、一時停止指示を備えた肯定応答（ACK：acknowledgement）を送信する（314）。
【００４８】
図３及び４の例では、連携処理基地局が上りリンクデータの連携処理の支援を提供できることを仮定している。他の例では、連携処理基地局の戦術的スケジューラは、所定のルールに基づいて支援をスケジューリングするか否かを選択してもよい。例えば、連携処理基地局は、連携処理基地局のSINRとサービング基地局のSINRとの比較に基づいて、移動局から上りリンクデータを受信する際の支援をスケジューリングしないことを選択してもよい。例えば、連携処理基地局jのSINRjがサービング基地局iのSINRiより或る所定の閾値Tだけ悪い場合（SINRj<SINRi-T）、連携処理基地局は、支援を提供しない。このルールは、サービング基地局に事前に知られていてもよい。換言すると、サービング基地局は、連携処理基地局のSINRjがサービング基地局のSINRiより所定の閾値だけ悪いことを判定した場合、サービング基地局は、連携処理基地局から上りリンクデータを受信する際の支援を想定しないことを認識する。
【００４９】
上りリンクデータの連携処理を実行する際に所定のルールを使用することにより、協調動作する基地局は、協調動作する基地局が、かなりのノード間の通信の遅延に関連し得る、協調動作する基地局が移動局の上りリンクデータを連係して処理できるか否かの判定を行うために、協調動作する基地局が実際にシグナリングを交換することを必要とせずに、相互の動作を予測することができる。
【００５０】
連携処理基地局が連携処理要求に応じて支援をスケジューリングしないことを選択した場合、連携処理基地局は、サービング基地局が連携処理基地局からの支援を想定しないことを認識するように、その判定をサービング基地局に報告してもよい。他の例では、サービング基地局は、連携処理基地局からのフィードバックがなくても、支援が連携処理基地局から想定されないことを既に認識していてもよい。この理由は、サービング基地局及び連携処理基地局の双方が、連携処理基地局が連携上りリンクデータ処理のための支援を提供するべきか否かを判定する際に同じルールを使用するからである。
【００５１】
或る実施例による技術又は機構を使用して、複数の基地局により上りリンクデータの連携処理を実行するための双方向のネゴシエーションが回避され、待ち時間を低減し得る。その代わりに、上りリンクデータの連携処理を実行する際の動作を管理するために所定のルールが使用される。
【００５２】
機械可読命令（図１のアドバンススケジューラ120及び戦術的スケジューラ122の命令等）は、１つ以上のプロセッサ（図１の124等）での実行のためにロードされる。プロセッサは、マイクロプロセッサ、マイクロコントローラ、プロセッサモジュール若しくはサブシステム、プログラム可能集積回路、プログラム可能ゲートアレイ、又は他の制御若しくは計算デバイスを含んでもよい。
【００５３】
データ及び命令は、各記憶装置に格納される。記憶装置は、１つ以上のコンピュータ可読又は機械可読記憶媒体として実装される。記憶媒体は、半導体メモリデバイス（ダイナミック又はスタティックランダムアクセスメモリ（DRAM又はSRAM）、消去可能及びプログラム可能読み取り専用メモリ（EPROM）、電気的消去可能及びプログラム可能読み取り専用メモリ（EEPROM）及びフラッシュメモリ等）、磁気ディスク（固定ディスク、フロッピーディスク及び取り外し可能ディスク）、他の磁気媒体（テープを含む）、光媒体（コンパクトディスク（CD）又はデジタルビデオディスク（DVD）等）、又は他の種類の記憶装置を含み、異なる形式のメモリを含む。前述の命令は、１つのコンピュータ可読又は機械可読記憶媒体に提供されてもよく、或いは、場合によっては複数のノードを有する大規模なシステムに分散された複数のコンピュータ可読又は機械可読記憶媒体に提供されてもよい点に留意すべきである。このようなコンピュータ可読又は機械可読記憶媒体は、物（又は製造物）の一部であると考えられる。物又は製造物は、如何なる製造された単一の構成要素又は複数の構成要素を示してもよい。
【００５４】
前述の説明では、ここに開示された対象の理解を提供するために、複数の詳細が示されている。しかし、これらの詳細の一部又は全部がない実装が行われてもよい。他の実装は、前述の詳細からの変更及び変形を含んでもよい。特許請求の範囲は、このような変更及び変形をカバーすることを意図する。
【図１】
2013509013.tif 000003
【図２】
2013509013.tif 000004
【図３】
2013509013.tif 000005
【図４】
2013509013.tif 000006
【国際調査報告】
2013509013.tif 000007
2013509013.tif 000008
2013509013.tif 000009